(57)【特許請求の範囲】
【請求項１】
外側に行くほど幅が広くなる等脚台形形状の係合凹部が上面に間欠的に複数個設けられ、カッター刃が前後に移動可能に挿入されるスライド溝を有するホルダーと、該ホルダーの前記スライド溝に挿入され、前記カッター刃を取付可能に形成されたスライダーと、該スライダーに支持され、前記係合凹部に係合・離脱する板ばね部材を有するカッターナイフにおいて、
前記スライダーは、本体部材と該本体部材に移動可能に支持された操作部材と板ばね部材とからなり、
該板ばね部材は、斜めに拡げた脚部と、該脚部の中央部分に前記係合凹部に係合可能な等脚台形形状の突出部と、該突出部の基部近傍において幅が前記斜めに拡げられた脚部の幅より広く形成された幅広部を有し、
前記本体部材は、中央凹部と、該中央凹部の上面中央に前記板ばねの前記突出部が出入りする開口部と、該開口部近傍に位置し前記板ばねの前記突出部の変形を防止するボスを有し、
前記操作部材は、その中立位置において、前記幅広部に係合して前記板ばねの前記突出部が後退するのを防止する可動ストッパと、前記操作部材の移動操作によって、前記板ばねの前記突出部を前記係合凹部から解除するよう前記突出部を前記板ばねの弾性に抗して押し下げる係合溝を有する
ことを特徴とするカッターナイフ。
【発明の詳細な説明】
【０００１】
【発明の属する技術分野】
本発明は、オートロック方式のカッターナイフに関するものである。
【０００２】
【従来の技術】
オートロック方式のカッターナイフは、種々の操作構造のものが知られている。実公昭５７−５４７７１号公報や実公昭６１−３５１７７号公報に記載されたオートロック方式のカッターナイフは、係止用板ばねの中央突出部の背面に板ばねの弾発を阻止するストッパーを設けている。この構造のものは、ストッパーを一方向に移動した時、板ばねの弾発を阻止しているが、解除する場合は、ストッパーを元に戻す操作をしなければならないという煩わしさがある。また、ストッパーがスライダーを係止しているとき、カッター刃と連結するスライダーを動かそうとする力が働いた場合、板ばねの中央突出部を進退方向にブレードホルダーの角孔に押しつけるのでナイフフレームの凹凸軸条との間で板ばねの中央突出部が押しつけられて使用不能なまでに変形する問題があった。
【０００３】
また、特開平６−３２７８４９号公報に記載されたオートロック方式のカッターナイフは、三角形状の係合溝に対して、突出部が略三角形状の板ばねを用いるものであるから、カッター刃の係止力の確実性に問題があり、また、板ばねがスライダーの本体部材に形成された中央凹部の開口部から外れやすく、変形しやすいという問題がある。
【０００４】
特公平７−８５７５２号公報に記載されたオートロック方式のカッターナイフは、板ばねが、カッター刃の進行方向沿いに延在する平板状のスプリング部と、それに直角方向に断面逆Ｕ字状に突出する突出部を有するものであり、中立位置において、板ばねが係合溝に及ぼすばね力が弱いという問題がある。
【０００５】
【発明が解決しようとする課題】
本発明は、上述した事情に鑑みてなされたもので、板ばねの使用不能な変形を防止して、ステップ的にオートロックができるカッターナイフを提供することを目的とするものである。
【０００６】
【課題を解決するための手段】
請求項１に記載の発明は、外側に行くほど幅が広くなる等脚台形形状の係合凹部が上面に間欠的に複数個設けられ、カッター刃が前後に移動可能に挿入されるスライド溝を有するホルダーと、該ホルダーの前記スライド溝に挿入され、前記カッター刃を取付可能に形成されたスライダーと、該スライダーに支持され、前記係合凹部に係合・離脱する板ばね部材を有するカッターナイフにおいて、前記スライダーは、本体部材と該本体部材に移動可能に支持された操作部材と板ばね部材とからなり、該板ばね部材は、斜めに拡げた脚部と、該脚部の中央部分に前記係合凹部に係合可能な等脚台形形状の突出部と、該突出部の基部近傍において幅が前記斜めに拡げられた脚部の幅より広く形成された幅広部を有し、前記本体部材は、中央凹部と、該中央凹部の上面中央に前記板ばねの前記突出部が出入りする開口部と、該開口部近傍に位置し前記板ばねの前記突出部の変形を防止するボスを有し、前記操作部材は、その中立位置において、前記幅広部に係合して前記板ばねの前記突出部が後退するのを防止する可動ストッパと、前記操作部材の移動操作によって、前記板ばねの前記突出部を前記係合凹部から解除するよう前記突出部を前記板ばねの弾性に抗して押し下げる係合溝を有することを特徴とするものである。
【０００７】
【発明の実施の形態】
図１は、本発明のカッターナイフの実施の形態の一例を示すもので、図１（Ａ）は平面図、図１（Ｂ）は側面図である。図中、１はホルダー、１ｂは係合凹部、２は本体部材、２ａは基板、３は操作部材、５はカッター刃である。
【０００８】
ホルダー１は、合成樹脂で成形した成形品であるが、その一部、例えば、係合凹部１ｂが形成される部分を金属で構成するなど、一部または全部を適宜の材料としてもよい。しかし、この実施の形態のように、ホルダー１の全部を合成樹脂とする構成は、部品点数を少なくできるとともに、安価にできる利点がある。ホルダー１には、スライド溝が形成され、上面の開口の一方の縁部には、多数の係合凹部１ｂが形成されている。係合凹部１ｂの形状は、外側に開いた等脚台形形状である。等脚台形の脚部に相当する側辺の傾斜角度は、５０゜以上、８５゜以下が適当である。ホルダー１のスライド溝には、スライダーが前後に移動可能に挿入されている。スライダーは、本体部材２と操作部材３と板ばねの３つの部材で組み立てられており、これを移動させることによって、本体部材２に取り付けたカッター刃を前後に移動させることができる。スライダーの移動は、後述するように、操作部材３を前方向または後方向に押すことによって行なうことができる。
【０００９】
スライダーの詳細を図２〜図４で説明する。図２は、図１（Ｂ）のＡ−Ａ線の断面図、図３は、図１（Ａ）のＢ−Ｂ線断面図、図４（Ａ）は、板ばねの側面図、図４（Ｂ）は、板ばねの平面図である。図中、図１と同じ部分には同じ符号を付して説明を省略する。１ａはスライド溝、２ｂは取付ピン、２ｃは操作部材支持部、２ｄは開口部、２ｅはボス、２ｆは突起部、２ｇは中央凹部、３ａは突起部、３ｂは係合溝、３ｃは可動ストッパ、４は板ばね、４ａは幅広部、４ｂは突出部、４ｃは中間部、４ｄは脚部、４ｅは係合角部、４ｆは背面である。
【００１０】
本体部材２は、平板状の基板２ａの先端部側にカッター刃を取り付けるための取付ピン２ｂと板ばね４を収容する中央凹部２ｇと操作部材支持部２ｃを備えている。取付けピン２ｂは、図示しないカッター刃の取付穴を嵌合させて、カッター刃をスライダー本体部２に連結させるためのものである。中央凹部２ｇは、スライダー本体部２から立ち上がるように箱状に形成され、その長手方向の一方の側壁の中央付近に開口部２ｄが設けられている、開口部２ｄよりやや下方には、ボス２ｅが立設されている。ボス２ｅは、板ばね４の突出部４ｂが使用不能となるような変形を防止するために、突出部４ｂの移動範囲を規定するストッパーの役目を果たすものである。また、突出部４ｂが開口部２ｄから外れることを防止でき、ばね部材４を確実に所定の位置に位置させることができる。
【００１１】
板ばね４は、図４（Ａ）に示すように、平板状の弾性部材、例えば、燐青銅で作成され、中央部にその左右の部分よりも幅を広くした幅広部４ａが設けられている。板ばね４の形状は、図４（Ｂ）に示すように、中央に突出部４ｂがあり、その左右に突出部４ｂの方向とほぼ直交する方向の中間部４ｃが続き、さらにその両側に、左右に斜めに拡がった脚部４ｄが続いている。この脚部４ｄの部分が主たるばね力を受け持っている。突出部４ｂとそれに続く中間部４ｃの一部とが、図４（Ａ）に示した幅広部４ａで形成されている。なお、板ばね４の形状は一例であり、中間部４ｃを図４（Ｂ）で示したよりも短くして、中間部４ｃ全体までを幅広部４ａで形成してもよい。また、中間部４ｃがなく、突出部４ｂから、すぐに脚部４ｄが形成されてもよく、その場合には、脚部４ｄの一部までが幅広部４ａで形成されてもよい。後述するように、突出部４ｂは係合凹部に係合するためのものであり、この突出部４ｂにばね力を及ぼす脚部が設けられていること、また、突出部４ｂの後退を阻止可能にする可動ストッパに係合できる部分が幅広部４ａによって形成されていればよいといえる。
【００１２】
図２，図３に戻って説明する。スライダーの本体部材２に形成された中央凹部２ｇの側壁の開口部２ｄに、操作部材３の係合溝３ｂ側に向けて突出部４ｂが外方に出入りできるように板ばね４が配置されている。
【００１３】
操作部材支持部２ｃは、操作部材３を前後方向（カッター刃の移動方向）に移動可能に支持するものであり、外側に向く突起部２ｆと操作部材３の内側に向く突起部３ａとを係合させて、操作部材３を本体部材２に取り付けている。
【００１４】
操作部材３は、本体部材２の操作部材支持部２ｃに摺動可能に支持されるが、中立状態においては、山形の係合溝３ｂの中心が板ばね４の突出部４ｂに跨るように位置される。操作部材３は、この位置を中心として前後に移動可能である。移動範囲は、操作部材支持部２ｃの側面を凹ませて生じた段部によって所定範囲に制限する制限機構としたが、これに限られるものではなく、本体部材２に対する操作部材３の前後方向の移動量を制限するためのストッパーなどの適当な係止機構や移動量を制限する制限機構が設けられていればよいが、その図示は省略した。
【００１５】
操作部材３の内側から突出している可動ストッパ３ｃは、操作部材３の移動とともに、突出部４ｂに対して可動であり、本体部材２の中央凹部２ｇ内の板ばね４の背面に位置している。操作部材３が中立状態にあるときは、操作部材３の可動ストッパ３ｃの両側に突出した頂点は、板ばね４の突出部４ｂの幅広部４ａの中間部の背面４ｆ（図４参照）に位置しているので、突出部４ｂの後退を阻止し、ホルダー１の係合凹部１ｂの傾斜面に沿って板ばね４の突出部４ｂが係合凹部１ｂから離脱するのを防止している。それにより、カッター刃の刃先に力が加えられても、板ばね４の突出部４ｂは、係合凹部１ｂに食い込んだ状態を維持し、カッター刃が後退するのを防止している。
【００１６】
カッターを移動させるには、操作部材３を移動方向に指で移動させる。この状態を図５に示す。図５では、操作部材３を前方向（図の左方向で、カッター刃を引き出す方向）へ移動させる。すると、板ばね４は、係合角部４ｅ（図４参照）を操作部材３の係合溝３ｂの斜面によって、板ばね４の弾力に抗して図の下方に押される。このとき、操作部材３の可動ストッパ３ｃの頂点も前方向に移動しているので、可動ストッパ３ｃの頂点が幅広部４ａを係止しない位置になり、突出部４ｂの後退が許容され、板ばね４の突出部４ｂは、本体部材２の中央凹部２ｇへ押し込まれて、ホルダー１の係合凹部１ｂから離脱する。
【００１７】
突出部４ｂの係合凹部１ｂからの離脱によって、操作部材３をさらに左方向に移動させることが可能となり、その移動によってスライダーを所望の位置まで移動させることができる。所望の位置まで移動させた状態で、操作部材３から指を離すことによって、突出部４ｂは脚部４ｄの弾性により図２の位置に戻り、スライダーをロック状態にできる。
【００１８】
脚部４ｄの戻りにより、係合角部４ｅが係合溝３ｂの斜面に当たり、操作部材３を元の中立位置に戻すことができる。スライダーを上述した説明と反対の後方向（図の右方向で、カッター刃を戻す方向）に移動させる場合は、操作部材３を図の右方向へ移動させる。それにより、係合角部４ｅが係合溝３ｂの左斜面によって、脚部４ｄの弾力に抗して図の下方に押されて、同様に、突出部４ｂを係合凹部１ｂから離脱させることができ、操作部材３をさらに右方向に移動させることにより、スライダーを後退させることができる。
【００１９】
【発明の効果】
以上の説明から明らかなように、本発明によれば、操作部材と共動する可動ストッパにより、オートロックが可能となった。また、本体部材に設けたボスにより、板ばねの突出部の変形を防止することができる、という効果がある。
【図面の簡単な説明】
【図１】本発明のカッターナイフの実施の形態の一例を示すもので、図１（Ａ）は平面図、図１（Ｂ）は側面図である。
【図２】図１（Ｂ）のＡ−Ａ線の断面図である。
【図３】図１（Ａ）のＢ−Ｂ線断面図である。
【図４】板ばねを説明するためのもので、図４（Ａ）は側面図、図４（Ｂ）は平面図である。
【図５】操作部材を前方向の移動させた状態の図１（Ｂ）のＡ−Ａ線の断面図である。
【符号の説明】
１…ホルダー、１ａ…スライド溝、１ｂ…係合凹部、２…本体部材、２ａ…基板、２ｂ…取付ピン、２ｃ…操作部材支持部、２ｄ…開口部、２ｅ…ボス、２ｆ…突起部、２ｇ…中央凹部、３…操作部材、３ａ…突起部、３ｂ…係合溝、３ｃ…可動ストッパ、４…板ばね、４ａ…幅広部、４ｂ…突出部、４ｃ…中間部、４ｄ…脚部、４ｅ…係合角部、４ｆ…背面、５…カッター刃。
【図１】
0003716399.tif 000002
【図２】
0003716399.tif 000003
【図３】
0003716399.tif 000004
【図４】
0003716399.tif 000005
【図５】
0003716399.tif 000006